(57)【要約】【課題】ネジ蓋を少し回転させるだけで容器の口頸部の螺旋ネジに係合させることができて、また、ネジ蓋を短時間に素早く滑らかに螺合することができて、ネジ蓋の戻りを防止した容器を提供する。【解決手段】中空容器の口頸部の外周面に短い螺旋ネジ３ａと係止片３ｂとからなる逆Ｔ字状をした螺旋ネジ片３を周方向に等間隔に複数個設けて容器本体１を形成すると共に、蓋体の内周面に前記逆Ｔ字状の螺旋ネジ片３の螺旋ネジ３ａに螺合する短い螺合ネジ４ａと前記係止片３ｂに係止する係止突起４ｂを突設した螺合ネジ片４を設けたネジ蓋２を形成して、前記容器本体１の口頸部にネジ蓋２を被着せしめて、ネジ蓋２を少し回動させるだけで、前記口頸部の螺旋ネジ片３に前記螺合ネジ片４を素早く、そして簡単に螺合できるように形成すると共に、前記係止片３ｂに係止突起４ｂを係止せしめて、ネジ蓋２の戻りを防止できるように構成したネジ蓋式の密封容器を形成する。【選択図】　　　　図１
2004059140.tif 000002
【特許請求の範囲】
【請求項１】
中空の容器本体の口頸部に、螺旋条の一部で形成される短い螺旋ネジ片を円周方向に等間隔で複数個を設けて容器本体を形成すると共に、蓋体の円筒面に、螺旋条の一部で形成される短い螺合ネジと係止突起とからなる螺合ネジ片を前記螺旋ネジ片に螺合可能に等間隔で複数個を設けてネジ蓋を形成して、前記ネジ蓋を容器本体の口頸部に素早く、滑らかに螺着可能に形成してなることを特徴とするネジ蓋式の密封容器。
【請求項２】
前記容器本体は、口頸部の外周面に６０度の間隔をおいて６個の螺旋ネジ片が設けられてなることを特徴とする請求項１に記載するネジ蓋式の密封容器。
【請求項３】
前記口頸部の螺旋ネジ片は、螺旋条の一部で形成される短い螺旋ネジの後端部側が先端部側よりもやや大きくなるように形成されてなることを特徴とする請求項１または請求項２に記載するネジ蓋式の密封客器。
【請求項４】
前記口頸部の螺旋ネジ片は、螺旋条の一部で形成される短い螺旋ネジの上側面に短い係止片が突設された逆Ｔ字に形成されてなることを特徴とする請求項１または請求項２に記載するネジ蓋式の密封客器。
【請求項５】
前記蓋体の螺合ネジ片は、螺旋条の一部で形成される短い螺合ネジを前記螺旋ネジ片の下側面に接して、係止突起を前記螺旋ネジ片の上側面に接して螺合するように形成すると共に、前記係止突起を前記螺旋ネジ片の係止片に係止するように形成してなることを特徴とする請求項１に記載するネジ蓋式の密封容器。
【請求項６】
前記容器本体およびネジ蓋は、金属の深絞り加工により形成されてなることを特徴とする請求項１に記載するネジ蓋式の密封客器。
【発明の詳細な説明】
【０００１】
【発明の属する技術分野】
本願の発明は、各種の内容物を収容する中空容器の開口部の口頸部の外周面に螺旋ネジが形成された容器本体に対して、内周面に螺合ネジが形成されたネジ蓋を被着、螺合せしめて密封する密封容器に係わるもので、中でも、中空の容器本体の口頸部の外周壁面に係止片を設けた逆Ｔ字状のネジ片を複数個形成すると共に、蓋体の内周壁面に前記ネジ片に螺合する螺合ネジと係止片に係止する係止突起とからなる螺合ネジを複数設けてネジ蓋を形成して、ネジ蓋を前記容器本体の口頸部に素早く簡単に螺合できるようにすると共に、螺合されたネジ蓋は係止突起により簡単に逆戻りしないように形成したネジ蓋式の密封容器に関するものである。
【０００２】
【従来の技術】
従来からネジ蓋を用いて容器の開口部を密封するようにしたネジ蓋式の密封容器は、飲料その他の液体を収容した液体容器、ジャムその他の食品を収容した広口の食品容器、クリームや乳液等を収容した化粧品容器、靴墨やワックス等を収容した容器その他に広く用いられてきた。
そして、上記したこれらの容器は、ガラスや合成樹脂で形成された容器本体の口頸部に、金属またはエボナイトや合成樹脂で形成されたネジ蓋を螺合して密封するようにしたものか、または、全属で形成された容器本体に金属のネジ蓋を螺合して密封するようにしたものが使用されてきた。
【０００３】
上記のようなネジ蓋氏の密封客器は、特別な道具を用いなくても簡単にネジ蓋を開封できたり、また、再び閉じたりすることができて、便利であることから多くの密封容器に便用されている。
しかし、一般に用いられている上記したような容器は、容器本体の口頸部に一条のネジ山が所定のピッチで一周または２周程度に形成されていて、前記ネジ山と同一ピッチのネジが内周面に形成されたネジ蓋を容器本体に螺合することにより、容器の開口部を密封するようにしたもので、ネジ蓋が弛むのを防止する点についての考慮がなされていない。
【０００４】
そして、上記した容器の口径が大きい広口容器の場合には、容器本体の口頸部のネジ山の先端部にネジ蓋の溝を噛み合わせて、ネジ蓋を容器本体の口頸部に正確に螺合させるには、ネジ蓋を半周以上にわたって慎重に回転させなくては螺合できない場合がある。
また、上記のようなネジ蓋を螺着した密封容器に於いては、ネジ蓋が螺着された後で、ネジ部に戻りが発生して、ネジ蓋が自然に緩むことがあるので、これらの容器は、ネジ蓋を強く締め付けておいても、外部からの振動等によりネジ蓋が弛んでしまうことがあり、特に、容器内に油性の内容物が収容されている場合には、ネジ面に油分が付着して蓋と容器本体との間の摩擦力が低下して、ネジ蓋は一層弛みやすくなることから、容器の気密性の点で問題がある。
【０００５】
そこで、ネジ蓋をできるだけ少ない回転で容器の口頸部に螺着できるようにするために、図８に示すように、容器本体２１の口頸部の外壁面に１８０度の間隔をおいて２条の螺旋ネジ２１ａ，２１ｂを設けると共に、ネジ蓋２２に前記２条の螺旋ネジと螺合する螺合ネジ２２ａ，２２ｂを設けたネジ蓋２２を形成することにより、ネジ蓋２２を２分の１周以下の回転により螺合できるようにしたものが知られている。
このような容器は、従来がら用いられている容器に比べれば、ネジ蓋２２の螺合ネジ部を簡単に容器本体２１の口頸部の螺旋ネジ部に螺着することはできるが、しかし、螺着されたネジ蓋２２に戻り現象が発生して気密性が失われる恐れがあり、特に、金属製容器の場合には戻り現象が発生し易い点についての考慮が欠けている。
【０００６】
また、容器の口頸部に螺着されたネジ蓋が弛むことがないようにした容器として、実公昭５６−４８０５７号３号や実公昭５７−９２３９号公報等に見るようなものがある。
そして、これらの容器本体は口頸部に設けられるネジ山の終端部近傍をやや幅広にして、そのネジ溝が狭くなるように形成して、ネジ蓋を締め付けるように螺合したり、あるいは、口頸部のネジ山を終端部近傍で他のネジ山よりも高く形成して、ネジ蓋がすき間嵌め状態に圧接係合するように螺合するものである。
しかし、これらの容器は閉蓋時のネジ蓋の位置合わせに時間をかけて慎重に行わなげればならないので、ネジ蓋を素早く、滑らかに螺合させることができない点で問題があり、また、ネジ山が変則的であるから成形がやや面倒になる。
【０００７】
そこで、上記したような問題点を解決して、ネジ蓋を容器本体に螺合、密閉する際に、ネジ蓋を９０度以内の回転により口頸部に螺合できるようにして、ネジ蓋を容器の口頸部に素早く螺着できるようにすると共に、螺合されたネジ蓋が自然に弛むのを防止したものとして、特開平１０−２０３５４７号公報に記載されるような密封容器が提案されている。
【０００８】
上記発明の密封容器は、図９に示すように、容器本体３１の口頸部３１ａの外周面に蓋体３２を回転させて係合する第一係合突起３３を４個形成すると共に、蓋体３２の内周面に口頸部の第一係合突起３３に係合する第二係合突起３４を４個形成して、蓋体３２を容器本体３１の口頸部３１ａに被着しで回転させることにより、蓋体３２を容器本体３１に素早く係合させて開口部を密閉して、器体の戻りを防止するように構成されている。
前記容器本体３１の第一係合突起３３の下側には、図ｌ０に示すように、前記蓋体３２の第二係合突起３４の上側に設けた凸部３４ａが係合する凹部３３ａが設けられて、蓋体３２の回転方向に係脱自在に係合するように形成されており、前記蓋体３２の第二係合突起３４の後端部にはストッパー片３４ｂが突設されている。
【０００９】
上記した発明は、蓋体を容器本体に被着しで回転させて密閉するのに、蓋体は９０度以内の回転により係合させることができて、また、係合した蓋体は自然に回転して戻るようなことはないが、前記第一係合突起と第二係合突起との係合関係が水平係合となるようにしたものであるから、蓋体により開口部を密閉すろ押圧力は一定となり密閉度を上げることは困難であり、また、噛み込み開始を滑らかにする点において間題がある。
そこで、螺合手段が簡単な構造をしていて、蓋体を少し回動させるだげで、簡単に素早く、滑らかに噛み込ませることができて、密閉圧力を高めることができるようにしたネジ蓋式の密封容器の出現が望まれる。
【００１０】
【発明が解決しようとする課題】
本顧の発明は、上記したような問題点を解決して、ネジ蓋式の密封容器に於けるネジの戻りの発生をなくして、気密性を維持するように創案されたもので、中空容器の口頸部にネジ蓋を螺着して保持する構造をできるだけ簡単にして、あらゆる中空容器に適用して密封できるような構造にして、ネジ蓋を少し回転させるだけで中空容器の口頸部に螺着することができて、また、ネジ蓋を容器本体の口頸部に対して短時間に素早く、滑らかに、且つ、傾かないようにして的確に螺合することができるように構成すると共に、容器の口頸部に螺着されたネジ蓋は、開封操作が行われた時以外には、振動や衝撃等の外力により白然に弛んで開封されることがないように構成されたネジ蓋式の密封容器を提供する。
【００１１】
【課題を解決するための手段】
本願の発明は、上記した目的を達成するために、中空容器の口頸部に設けられる複数条の螺旋ネジに代えて、従来の螺旋ネジの一部分で形成される短い螺旋ネジを形成すると共に、該短い螺旋ネジの上側面に短い係止片を突設した逆Ｔ字状をした螺旋ネジ片を、中空容器の口頸部の外周面に複数個形成せしめて容器本体を形成して、また、蓋体の内周面に前記逆Ｔ字状の螺旋ネジ片に螺合する短い螺合ネジと前記係止片に係止する係止突起を突設した螺合ネジ片を設けたネジ蓋を形成して、前記容器本体の口頸部にネジ蓋を螺合する際に、口頸部に被着させたネジ蓋を少し回転させるだげで、口頸部の螺旋状のネジ片に螺合ネジ片を螺合できるようにすると共に、前記係止片に係止突起を係止せしめて、ネジ蓋の戻りをなくすことができるように構成する。
【００１２】
【発明の実施の形態】
本願発明に於けるネジ蓋式の密封容器は、中空容器本体の口頸部に設けられる螺旋ネジを、螺旋状曲線の一部分を短く切断した形状の短い螺旋ネジ３ａの上側面に短い係止片３ｂを突設しで、略逆Ｔ字状をした螺旋ネジ片３に形成すると共に、該螺旋ネジ片３を容器本体の口頸部の周面に等間隔に複数個突設せしめて容器本体１を形成する。
また、前記容器本体１の口頸部に螺着せしめて密封する蓋体の内周に設けられる螺合ネジを、前記逆Ｔ字状の螺旋ネジ片３の下側両に螺合する短い螺旋状の螺合ネジ４ａを形成すると共に、該短い螺旋状の螺合ネジ４ａの上方に前記短い係止片３ｂに係止する係止突起４ｂを突設した螺合ネジ片４を複数個形成して、ネジ蓋２を形成する。
このように形成されたネジ蓋２を前記容器本体１に被着して螺着せしめる際に、ネジ蓋２を回動させる距離を短縮して、素早く螺着できるようにすると共に、ネジ蓋の戻りを防止できるように構成する。
【００１３】
上記のようにして、容器本体１の口頸部に複数の逆Ｔ字状をした螺旋ネジ片３が形成された中空容器に、クリーム状の化粧料やその他の内容物を収容した後、前記螺旋ネジ片３に螺合する螺合ネジ４ａと係止突起４ｂからなる螺合ネジ片４（図２に見るように内側に凸）が形成されたネジ蓋２を前記口頸部に被着してから、前記ネジ蓋２を閉蓋方向に回転させると、ネジ蓋２は３０度以内の僅かに回転しただけで螺合ネジ片４が、容器本体１の口頸部の外周面に突設した複数の螺旋ネジ片３に簡単に係合されて、滑らかに回転しながら口頸部に螺着されて開口部を密封して、ネジ蓋式の密封容器に形成される。
【００１４】
【実施例】
以下に、木願発明の密封容器について、一つの最適な実施例に基づいて、図面を参照しつつ詳細に説明する。
本願発明は、金属板をプレス加工により打ち抜いて形成したブランク材を、容器の本体部分（身部分）またけ蓋体部分の形状に合わせた深絞り加工を行った加工品のそれぞれに対してローラー加工を施して、図１に示すように、成形品の開口端部を丸めて環状に形成すると共に、容器部分の円筒状の壁面には逆Ｔ字状をした螺旋ネジ片３を形成した容器本体ｌと、また、蓋部分の円筒状の壁面には螺合ネジと係止突起とからなる螺合ネジ片４を形成したネジ蓋２とからなり、前記容器本体１の口頸部に前記ネジ蓋２を着脱自在に螺着可能に構成された密封容器である。
【００１５】
上記した本願発明の密封容器は、図２および図３に示するように、容器本体１の開口端に近い口頸部の周壁面には、螺旋条５の一部分で形成される短い螺旋状のネジ３ａ（外側に凸）と、該短い螺旋ネジ３ａの上側面に突設した短い係止片３ｂとからなる概略逆Ｔ字状をした螺旋ネジ片３が、ローラー加工により等間隔に複数個（図示する例に於いては６個）形成されると共に、開口端部１ａは筒状に丸く加工された環状に形成される。
【００１６】
また、同しように、ネジ蓋２の開口端に近い部分の周壁面には、前記逆Ｔ字状をした螺旋ネジ片３の螺旋ネジ３ａの下側面に係合するように螺旋条６の一部分で形成される短い螺合ネジ４ａ（内側に凸）と、係止片３ｂに係止する係止突起４ｂとからなる螺合ネジ片４が、ローラー加工により等問隔に複数個（図示する例に於いては３個）形成されると共に、開口端部２ａは筒状に丸く加工された環状に形成される。
【００１７】
上記のようにして形成されたネジ蓋２を容器本体ｌの口頸部に被着させると、ネジ蓋２の螺合ネジ片４を口頸部の螺旋ネジ片３の間にあるようにスムーズに落着させることができて、前記容器本体１の口頸部に設けられた螺旋ネジ片３に螺合ネジ片４が簡単に螺合されると共に、蓋体の係止突起４ｂが容器本体の係止片３ｂに対して直交するように係止された密封容器が構成される。
そして、図３に示したように、更にネジ蓋２の天板の裏面にパッキン７を設けておけば、一層より良く気密性を持たせることができる。
【００１８】
上記のように形成された中空の容器本体１内に、各種のクリームやワックス、または、錠剤や喉飴その他の内容物を収容して、図５（ａ）に示すように、容器本体１の口頸部に螺合するするように形成されたネジ蓋２を被せてから、該ネジ蓋２を容器本体１の口頸部の螺旋ネジ片３に螺合させようとして回動させると、前記ネジ蓋２の螺旋ネジ片４の先端部が容器本体ｌの逆Ｔ字状をしたネジ片３の螺旋ネジ３ａの先端部に噛み合うから、更に回動させると、図５（ｂ）に示すように、ネジ蓋２の螺合ネジ片４の螺合ネジ４ａ部は口頸部の螺旋ネジ３ａの下側面に沿って滑動すると共に、ネジ蓋２の係止突起４ｂは螺旋ネジ３ａの上側面に沿って滑動して、係止片３ｂを乗り越えて螺合して係止される。
【００１９】
そして、このようにしてネジ蓋が螺合された密封容器は、ネジ蓋２の螺合ネジ４ａが螺旋ネジ３ａの下側面に密接して螺合して、蓋体２を開口端部に引きつけるように締めつけられて密封性が良くなり、また、ネジ蓋２の係止突起４ｂが口頸部の係止片３ｂに係止されるので、従来の螺旋ネジを用いた密封容器の場合のように、自然にネジ蓋が戻るような現象が生ずるようなことはない。
上記した構造をした本願発明の密封容器は、容器本体１の口頸部には６０度の間隔をおいて６個の螺旋状のネジ片が設けられているので、ネジ蓋２を左右（あるいは前後）に最大角度でも３０度程度回転させるだけで、ネジ蓋２を口頸部の螺旋ネジ片３に係合させることができるので、前記ネジ蓋２を容器本体ｌの口頸部に短い時間内に素早く螺合することができる。
【００２０】
尚、上記した実施例に於いては、容器本体の口頸部に短い螺旋ネジ３ａを設けると共に、該螺旋ネジに短い係止片３ｂを突設した逆Ｔ字状の螺旋ネジ片３を設けて形成した容器本体ｌに、蓋体の円筒壁面に前記逆Ｔ字状の螺旋ネジ片３の螺旋ネジ３ａに係合するように螺合ネジ４ａと係止突起４ｂとからなる螺合ネジ片４を設けて形成したネジ蓋２を被着して、前記口頸部に設けた螺旋ネジ片３の螺旋ネジ３ａに前記ネジ蓋の螺合ネジ４ａを螺合せしめると共に、前記螺旋ネジ片３の係止片３ｂに前記ネジ蓋の係止突起４ｂを係止せしめて、ネジ蓋の戻りを完全に防いで密封するような構造にした。
【００２１】
しかし、本願の発明は、ネジ蓋の戻りを完全に防ぐようにして密封する必要性がない場合には、前記した螺旋ネジ片３の係止片３ｂを省いた簡単な構造にすることも可能である。
例えば、図６（ｂ）に示すように容器本体の口頸部に螺旋条のネジの一部分からなる短い螺旋ネジ片１３を設けた容器本体１１を形成すると共に、図６（ａ）に示すように、蓋体の周壁面に前記螺旋ネジ片１３の下側面に係合するように形成した螺旋条の一部分からなる短い螺合ネジ１４ａと、螺旋ネジ片１３の上側面に係合するように形成した係止突起１４ｂとからなる螺合ネジ片１４が設けられてなるネジ蓋１２を形成する。
【００２２】
そして、図７（ａ）に示すようにして、前記容器本体１１に対して前記ネジ蓋１２を被着せしめて回動すると、前記容器本体の螺旋ネジ片１３はネジ蓋１２の螺合ネジ１４ａと係止突起１４ｂとにより上下から締めつけられて、図７（ｂ）に示すしたように、ネジ蓋１２で開口部が密封された密封容器が形戊される。
上記した密封容器に於いて、前記容器本体１１の螺旋ネジ片１３を、後端部側を先端側よりも徐々に大きくなるような形状にしておけば、螺着する際に先端部の噛み込みがスムーズに行うことができると共に、螺着されたネジ蓋１２は螺旋ネジ片１３の後端部に行くに従って強く螺合されるので、ネジ蓋１２の内面が容器本体の開口端部に引き付けられて気密性も一層良くなり、また、ネジ蓋１２の戻り現象もある程度は防ぐことが可能となる。
【００２３】
また、上記した実施例では、中空容器として金属板をプレス加工およびローラ一加工して口頸部に螺旋ネジ片３が形成された容器本体１に、螺合ネジ片４が形成されたネジ蓋２を螺合して密封するようにした金属製の密封容器について述ベたが、本願の発明は、上記のような金属容器に限定されるものではなくて、中空の容器本体ｌばガラスや合成樹脂を用いて形成することも可能であることは言うまでもないし、また、ネジ蓋２に関しても金属製でなくて合成樹脂やベークライト製にすることも可能であり、更に、上記した金属、合成樹脂、その他の異なる材質からなる容器本体とネジ蓋とを適当に組み合わせて形成される密封容器を構成することも可能である。
【００２４】
【発明の効果】
以上述べたように、本願発明は、容器本体の口頸部に形成される螺旋条のネジ山に代えて、螺旋条の一部分からなる短い螺旋ネジ片を複数個形成した容器本体に対して、蓋体の内周面に短い螺合ネジ片が形成されたネジ蓋を着脱自在に螺着可能に形成して、中空容器の開口部を密封可能な密封容器を構成したので、前記ネジ蓋を少し回動させるだけで、ネジ蓋の螺合ネジ片の螺合ネジ部を螺旋ネジ片の螺旋ネジ部に簡単に係合させることができる。
【００２５】
そして、前記口頭部の螺旋ネジ片に設けられた係止片に、ネジ蓋の螺合ネジ片に設けた係止突起を係止するようにしたので、螺合したネジ蓋の戻りが防止されて、ネジ蓋が開封操作が行われた時以外には、振動や衝撃等の外力により白然に弛んで開蓋するようなことはない。
また、本願発明は、前記口頸部の螺旋ネジ片およびネジ蓋の螺合ネジ片は、螺旋条の一部分で形成された形状をしているので、それぞれのネジ片は傾斜状をなしていて、口頸部の螺旋ネジに対するネジ蓋の螺合ネジの噛み込みが滑らかに行われると共に、螺着されたネジ蓋は強く締め付けられて気密性が高められる。
【図面の簡単な説明】
【図１】本願発明の密封容器を示すネジ蓋（ａ）と容器本体（ｂ）の斜視図である。
【図２】図１に示す密封容器のネジ蓋（ａ）の螺合ネジ片と容器本体（ｂ）の螺旋ネジ片の形状を説明する側面図である。
【図３】図１に示した密封容器のネジ蓋（ａ）と容器本体（ｂ）の断両図である。
【図４】図１に示した密封容器のネジ蓋（ａ）と容器本体（ｂ）の側面図であろ。
【図５】図４に示した容器本体にネジ蓋を螺着せしめる説明図である。
【図６】本願発明の変形例のネジ蓋（ａ）と容器本体（ｂ）を示す側面図である。
【図７】図６に示したネジ蓋を容器本体に螺着せしめる説明図である。
【図８】従来の複数の螺旋ネジを設けた容器を示す斜視図である。
【図９】本願発明の先行例の密封容器を示す斜視図であろ。
【図１０】図９に示した容器の係合構造を示す説明図である。
【符号の説明】
１．　　容器本体
２．　　ネジ蓋
３．　　螺旋ネジ片
３ａ．　螺旋ネジ
３ｂ．　係止片
４．　　螺合ネジ片
４ａ　　螺合ネジ
４ｂ　　係止突起
５．　　口頸部の螺旋条
６．　　蓋体の螺旋条
７．　　パッキン
【図１】
2004059140.tif 000003
【図２】
2004059140.tif 000004
【図３】
2004059140.tif 000005
【図４】
2004059140.tif 000006
【図５】
2004059140.tif 000007
【図６】
2004059140.tif 000008
【図７】
2004059140.tif 000009
【図８】
2004059140.tif 000010
【図９】
2004059140.tif 000011
【図１０】
2004059140.tif 000012